(57)【要約】【課題】像担持体と転写ベルトとの接触部位で発生する熱を効率良く冷却できる画像形成装置を提供する。【解決手段】トナー像が転写される中間転写ベルト５１と、中間転写ベルト５１の一方の面５１ａに沿って並列に４つ配置される感光体１０とを備える複写機であって、一方の面５１ａに沿って冷却風を供給する冷却ファン７と、感光体１０のそれぞれと中間転写ベルト５１とを接触させる接触位置と、上記接触した感光体１０のうちの少なくとも一部と中間転写ベルト５１とを離間させる離間位置との間を移動自在な移動ユニット８とを有するという構成を採用する。【選択図】図３
2009294576.tif 000002
【特許請求の範囲】
【請求項１】
像が転写される転写ベルトと、前記転写ベルトの一方の面に沿って並列に複数配置される像担持体とを備える画像形成装置であって、
前記一方の面に沿って冷却用気体を供給する冷却装置と、
前記像担持体のそれぞれと前記転写ベルトとを接触させる接触位置と、前記接触した前記像担持体のうちの少なくとも一部と前記転写ベルトとを離間させる離間位置との間を移動自在な移動装置とを有することを特徴とする画像形成装置。
【請求項２】
前記移動装置は、前記離間位置にあるとき、前記並列の一端に配置された前記像担持体以外の前記像担持体と前記転写ベルトとを離間させ、
前記冷却装置は、前記並列の他端側から前記一端側に向けて前記冷却用気体を供給することを特徴とする請求項１に記載の画像形成装置。
【請求項３】
前記像担持体の温度を検出する温度検出装置と、
前記温度検出装置の検出結果に基づいて前記移動装置の駆動を制御する制御装置とを有することを特徴とする請求項１または２に記載の画像形成装置。
【請求項４】
前記温度検出装置は、前記像担持体のそれぞれの温度を検出し、
前記制御装置は、前記検出結果のうち一つでも所定の閾値を越えた場合に、前記移動装置を前記離間位置に移動させることを特徴とする請求項３に記載の画像形成装置。
【請求項５】
前記像をシート材に印字した印字枚数を検出する印字枚数検出装置と、
前記印字枚数検出装置の検出結果に基づいて前記移動装置の駆動を制御する第２制御装置とを有することを特徴とする請求項１〜４のいずれか一項に記載の画像形成装置。
【発明の詳細な説明】
【技術分野】
【０００１】
本発明は、複写機、プリンタ、またはファクシミリ装置等の画像形成装置に関するものである。
【背景技術】
【０００２】
従来から、トナー等で形成された像を担持する像担持体と、該像担持体から像を転写される転写ベルトとを有する画像形成装置において、上記転写の際に像担持体と転写ベルトとが接触する部位において発生する熱により、例えばトナーの劣化、ブロッキング（トナーが固まる）や、転写ベルトの伸びが発生する等の不具合が発生して画像形成に影響を与え得るため、当該部位を適当に冷却する冷却装置を設けることが求められている。
【０００３】
転写ベルトに沿って像担持体が並列に複数配置されるいわゆるタンデム方式の画像形成装置においては、構成上、各像担持体を囲うように現像装置、帯電器、露光装置、クリーニング装置や除電装置等がそれぞれ配置されて、像担持体と像担持体との間が上記機器類により塞がれ、さらに、近年の装置の省スペース化の要請により設置スペースの制限を受け、像担持体と像担持体との間に冷却用気体が流通するための所定の空きを設けることが難しく、当該間から像担持体と転写ベルトとの接触部位を直接的に冷却することが困難であるという問題がある。
このような問題を解決する手段として例えば、特許文献１には、タンデム方式のカラー画像形成装置において、中間転写ベルト（転写ベルト）面に送風してこれを冷却するためのファンあるいはヒートポンプを設けて、該ファン等により冷却された中間転写ベルトが回走することにより感光体（像担持体）をも冷却するものが開示されている。
【特許文献１】特開２００３−２９５４０号公報
【発明の開示】
【発明が解決しようとする課題】
【０００４】
しかしながら、特許文献１の画像形成装置においては、複数の像担持体が、冷却された転写ベルトを介して間接的に冷却される構成であることから冷却効率が低いという問題がある。例えば、冷却された転写ベルトと上流側で接触する像担持体においては適当に冷却されるが、上流側で像担持体との間で熱交換され温度が上昇した転写ベルトと下流側で接触する像担持体においては適当に冷却することが難しいという問題がある。
【０００５】
本発明は、上述する問題点に鑑みてなされたもので、像担持体と転写ベルトとの接触部位で発生する熱を効率良く冷却できる画像形成装置を提供することを目的とする。
【課題を解決するための手段】
【０００６】
上記の課題を解決するために、本発明は、像が転写される転写ベルトと、上記転写ベルトの一方の面に沿って並列に複数配置される像担持体とを備える画像形成装置であって、上記一方の面に沿って冷却用気体を供給する冷却装置と、上記像担持体のそれぞれと上記転写ベルトとを接触させる接触位置と、上記接触した上記像担持体のうちの少なくとも一部と上記転写ベルトとを離間させる離間位置との間を移動自在な移動装置とを有するという構成を採用する。
このような構成を採用することによって、本発明では、移動装置が離間位置にあるときに、離間した像担持体と転写ベルトとの間に形成される空間に冷却用気体の風路が形成される。
【０００７】
また、本発明においては、上記移動装置は、上記離間位置にあるとき、上記並列の一端に配置された上記像担持体以外の上記像担持体と上記転写ベルトとを離間させ、上記冷却装置は、上記並列の他端側から上記一端側に向けて上記冷却用気体を供給するという構成を採用する。
このような構成を採用することによって、本発明では、他端側から一端側に向けた一方向からの冷却用気体の供給で、並列された全ての像担持体を冷却することが可能となる。
【０００８】
また、本発明においては、上記像担持体の温度を検出する温度検出装置と、上記温度検出装置の検出結果に基づいて上記移動装置の駆動を制御する制御装置とを有するという構成を採用する。
このような構成を採用することによって、本発明では、像担持体の温度に応じて移動装置を駆動させることが可能となるため、温度が上昇することによる画像形成の不具合を防止させる冷却が可能となる。
【０００９】
また、本発明においては、上記温度検出装置は、上記像担持体のそれぞれの温度を検出し、上記制御装置は、上記検出結果のうち一つでも所定の閾値を越えた場合に、上記移動装置を上記離間位置に移動させるという構成を採用する。
このような構成を採用することによって、本発明では、より確実に、温度が上昇することによる画像形成の不具合を未然に防止する冷却が可能となる。
【００１０】
また、本発明においては、上記像をシート材に印字した印字枚数を検出する印字枚数検出装置と、上記印字枚数検出装置の検出結果に基づいて上記移動装置の駆動を制御する第２制御装置とを有するという構成を採用する。
このような構成を採用することによって、本発明では、印字枚数に応じて移動装置を駆動させることで、該印字枚数により像担持体と転写ベルトとの接触部位の温度上昇値を推定あるいは算出し、温度が上昇することによる画像形成の不具合を未然に防止する冷却が可能となる。
【発明の効果】
【００１１】
本発明によれば、像が転写される転写ベルトと、上記転写ベルトの一方の面に沿って並列に複数配置される像担持体とを備える画像形成装置であって、上記一方の面に沿って冷却用気体を供給する冷却装置と、上記像担持体のそれぞれと上記転写ベルトとを接触させる接触位置と、上記接触した上記像担持体のうちの少なくとも一部と上記転写ベルトとを離間させる離間位置との間を移動自在な移動装置とを有するという構成を採用することによって、移動装置が離間位置にあるときに、離間した像担持体と転写ベルトとの間に形成される空間に冷却用気体の風路が形成される。すなわち、直接、像担持体と転写ベルトとの両者に冷却風を供給することが可能となる。
したがって、本発明では、像担持体と転写ベルトとの接触部位で発生する熱を効率良く冷却できる画像形成装置を提供することができる効果がある。
【発明を実施するための最良の形態】
【００１２】
次に、本発明の実施形態を図面に基づいて説明する。なお、以下に説明においては、本発明を複写機（画像形成装置）に適応した場合の例について説明する。また、以下の図面において、各部材を認識可能な大きさとするために、各部材の縮尺を適宜変更している。
【００１３】
先ず、図１及び図２を参照して、本実施形態における複写機１の構成について説明する。
図１は、本発明の実施形態における複写機１の機能構成を示すブロック図である。
図２は、本発明の実施形態における複写機１の概略構成を示す正面図である。
本実施形態の複写機１は、いわゆるタンデム方式を採用しており、図１に示すように、画像読取部２と、画像記憶部３と、画像処理部４と、印刷部５と、操作部６と、冷却ファン（冷却装置）７と、移動ユニット（移動装置）８と、複数の温度センサ（温度検出装置）９と、制御部（制御装置）１００とを有する構成となっている。
【００１４】
画像読取部２は、例えば、図２に示す原稿自動送り装置２１と、原稿の画像を読み取るスキャナ２２とを備える構成となっており、制御部１００から入力される制御指令に基づいて、原稿自動送り装置２１から供給された原稿の画像をスキャナ２２で読み取り、原稿画像の形状や色彩等の画像データを出力する構成となっている。
【００１５】
画像記憶部３は、ハードディスク等の外部記憶装置或いは／及び半導体メモリ等から構成されており、制御部１００から入力される制御指令に基づいて、画像読取部２にて読み取った画像データを書き込み記憶すると共に、当該原稿画像データを読み出して出力する構成となっている。
【００１６】
画像処理部４は、制御部１００から入力される制御指令に基づいて、画像記憶部３から入力される原稿画像データを印刷形式の画像データに変換して出力するものであり、必要に応じて原稿画像データに各種画像処理を施して印刷形式の画像データに変換する。例えば、画像読取部２がカラー画像の形成された原稿を読み取った場合には、画像記憶部３から画像処理部４に入力される原稿画像データは、光の三原色に対応したＲＧＢ画像データとなるため、画像処理部４は、このようなＲＧＢ画像データを印刷部５の印刷形式に対応した、例えばＹＭＣＫ画像データ（Ｙ（イエロー）、Ｍ（マゼンタ）、Ｃ（シアン）、Ｋ（ブラック）を基準色とする画像データ）に変換して出力する。
【００１７】
印刷部５は、制御部１００から入力される制御指令に基づいて、印刷用紙（シート材）を搬送しつつ当該印刷用紙にトナーを付着させることにより、画像処理部４から入力された画像データに基づいて印刷用紙に画像を形成するものであり、図２に示すように、ベルトユニット５０と、クリーニング部５５と、イエロー（Ｙ）、マゼンタ（Ｍ）、シアン（Ｃ）、ブラック（Ｋ）の各色にそれぞれ対応した画像形成ユニットＦ（ＦＹ、ＦＭ、ＦＣ、ＦＫ）と、給紙カセット５６と、二次転写部５７と、定着部５８と、搬送路５９とを有する。
【００１８】
ベルトユニット５０は、画像形成ユニットＦから画像を転写される中間転写ベルト（転写ベルト）５１と、中間転写ベルト５１を架設すると共に無端回走させる駆動ローラ５２、従動ローラ５３ａ〜５３ｃ及びテンションローラ５４とを有する。
中間転写ベルト５１は、駆動ローラ５２、従動ローラ５３ａ〜５３ｃ及びテンションローラ５４に張架されて、図２において時計回りに無端回走する構成となっている。
駆動ローラ５２は、モータ等の駆動源を有する駆動部に接続され、中間転写ベルト５１に対しグリップ力を付与しつつ回走させるものである。
従動ローラ５３ａ〜５３ｃは、駆動ローラ５２の回転駆動に従動して回転駆動するものである。
テンションローラ５４は、駆動ローラ５２の回転駆動に従動して回転駆動する従動ローラの一種であり、バネ機構を有する付勢装置５４Ａが設けられて、中間転写ベルト５１にテンションを与えるものである。
クリーニング部５５は、クリーニングローラやクリーニングブレード等を備え中間転写ベルト５１に残留したトナー等を除去する構成となっている。
【００１９】
画像形成ユニットＦは、感光体（像担持体）１０と、帯電器１１と、露光装置１２と、現像装置１３と、一次転写ローラ１４とを有し、さらに不図示のクリーニング装置及び除電装置等とを有する。
感光体１０は、円柱に形状設定され、その周面に静電潜像及び当該静電潜像に基づくトナー像（像）が形成されるものである。帯電器１１は、感光体１０に対して対向配置され、感光体１０の周面を帯電状態とするものである。露光装置１２は、印刷形式の画像データに基づいて射出されるレーザ光を帯電状態の感光体１０の周面において走査するものである。現像装置１３は、感光体１０の周面に対してトナーを供給することによって感光体１０の周面上に静電潜像に基づく画像を現像するものである。一次転写ローラ１４は、中間転写ベルト５１を挟んで感光体１０と対向配置され、感光体１０に現像された画像を中間転写ベルト５１に一次転写するものである。
【００２０】
このような構成の画像形成ユニットＦは中間転写ベルト５１に沿ってＹＭＣＫの各色に対応して４つ設けられ、感光体１０（１０Ｙ、１０Ｍ、１０Ｃ、１０Ｋ）は、中間転写ベルト５１の一方の面５１ａに沿って並列に４つ配置される。
図１に示す温度センサ９（９Ｙ、９Ｍ、９Ｃ、９Ｋ）は、感光体１０の温度を検出すると共に、該検出結果を順次制御部１００に出力するものであり、感光体１０Ｙ、１０Ｍ、１０Ｃ、１０Ｋのそれぞれに対応して設けられる（図２において不図示）。温度センサ９は、例えば、赤外線温度センサ、サーミスタ等から構成され、対応する感光体１０の周面の温度をそれぞれ検出する構成となっている。
【００２１】
給紙カセット５６は、装置本体に対して引き出し自在であり、印刷用紙を収容するものである。
二次転写部５７は、中間転写ベルト５１上に形成された画像を印刷用紙に二次転写するものであって、中間転写ベルト５１を駆動させる駆動ローラ５２と、中間転写ベルト５１を挟んで該駆動ローラ５２と対向配置される二次転写ローラ５７ａとを備える。
定着部５８は、印刷用紙上に二次転写された画像を定着させるものであり、加圧・加熱することによりトナーを定着させる加熱ローラを備える。
搬送路５９は、給紙カセット５６から排紙トレイ１Ａまで印刷用紙を搬送するものであり、給紙カセット５６から印刷用紙を搬出するピックアップローラ５９ａ、印刷用紙を搬送する給紙ローラ５９ｂ、排紙トレイ１Ａに印刷用紙を排紙する排紙ローラ５９ｃ等を備える。
【００２２】
図１に示す操作部６は、ユーザーの指令を制御部１００へ伝達する構成となっており、例えば、表示部と操作キーとを有する操作パネルから構成される。
表示部は、例えばタッチパネルや液晶ディスプレイ等から構成されており、ユーザーと複写機１とを関係付けるマンマシンインタフェースとして機能する。タッチパネルは、周知のように表示パネルの表示面に抵抗膜方式等の透明な面状押圧センサを設けたものであり、表示パネルに表示された操作ボタンにユーザーが指等で押圧すると、面状押圧センサが押圧位置（押圧座標）を示す操作信号を制御部１００に出力するものである。
操作キーは、例えば電源ボタン、数字ボタン、印刷開始ボタン等、表示部に表示される操作ボタン以外のハードウエアキーであり、ユーザーの操作に基づいた操作信号を制御部１００に出力する構成となっている。
【００２３】
次に、冷却ファン７及び移動ユニット８の構成について図３を参照して説明する。
図３は、本発明の実施形態における冷却ファン７及び移動ユニット８が設けられる部位の要部拡大図である。
冷却ファン７は、制御部１００から入力される制御指令に基づいてファンを回転駆動させることにより、中間転写ベルト５１の一方の面５１ａに沿って冷却風（冷却用気体）を供給する構成となっている。冷却ファン７は、並列された感光体１０の一端側（感光体１０Ｋが配置される側）に対し、他端側（感光体１０Ｙが配置される側）に配置され、冷却風の噴射口７１が他端側から一端側に向かう方向に向けられる構成となっている。
なお、冷却ファン７は、感光体１０の長さ方向に亘って冷却風を供給できるように、図３において紙面垂直方向に複数台並設される構成となっている。
【００２４】
移動ユニット８は、従動ローラ５３ｂ、一次転写ローラ１４Ｙ、一次転写ローラ１４Ｍ、一次転写ローラ１４Ｃを一体としてユニット化すると共に、不図示の偏心カムを有する駆動装置を有し、制御部１００から入力される制御指令に基づいて駆動装置が偏心カムを回転することにより、図３（ａ）に示す接触位置と図３（ｂ）に示す離間位置との間を移動自在な構成となっている。
【００２５】
移動ユニット８が接触位置にあるとき、一次転写ローラ１４Ｙ、一次転写ローラ１４Ｍ及び一次転写ローラ１４Ｃは、感光体１０Ｙ、感光体１０Ｍ、及び感光体１０Ｃと中間転写ベルト５１を挟んでそれぞれと対向する位置にあり、感光体１０のそれぞれと中間転写ベルト５１とを接触させる構成となっている。
一方、移動ユニット８が離間位置にあるとき、一次転写ローラ１４Ｙ、一次転写ローラ１４Ｍ及び一次転写ローラ１４Ｃは、感光体１０Ｙ、感光体１０Ｍ、及び感光体１０Ｃのそれぞれと離間する位置にあり、感光体１０Ｙ、感光体１０Ｍ、及び感光体１０Ｃと中間転写ベルト５１とを離間させる構成となっている。すなわち、移動ユニット８が上記離間位置にあるとき、一端に配置された感光体１０Ｋ以外の感光体１０は、中間転写ベルト５１から離間することとなる。
【００２６】
図１に戻り、制御部１００は、ＣＰＵ（Central Processing Unit）、ＲＯＭ（Read Only Memory）やＲＡＭ（Random Access Memory）等の内部メモリから成る電子部品及び電子回路等、並びに画像読取部２、画像記憶部３、画像処理部４、印刷部５、操作部６、冷却ファン７、移動ユニット８及び温度センサ９とのデータ授受を行う各種入出力インターフェース回路等から構成されている。
【００２７】
上記のように構成された複写機１は、ユーザーの操作部６の操作により、印刷モードを、イエロー、マゼンタ、シアン及びブラックのトナーを用いた４色カラーモードと、ブラックのみのトナーを用いたモノクロモードとに設定を切り替えることが可能な構成となっている。
複写機１が４色カラーモードに設定された場合は、制御部１００は、移動ユニット８を図３（ａ）に示す接触位置に位置させて、各画像形成ユニットＦから各色のトナーを中間転写ベルト５１に転写可能とさせる。
一方、複写機１がモノクロモードに設定された場合は、制御部１００は、移動ユニット８を図３（ｂ）に示す離間位置に位置させて、画像形成ユニットＦＫのブラックのトナーのみを中間転写ベルト５１に転写可能とさせる。
【００２８】
続いて、上記構成の複写機１の感光体１０と中間転写ベルト５１との接触部位で発生する熱を冷却する動作について図４を参照して説明する。
図４は、本実施形態における複写機の冷却の動作を説明するフローチャートである。
なお、以下の説明では、複写機１が４色カラーモードに設定されている場合の冷却の動作について説明する。
【００２９】
複写機１は、ユーザーの操作部６からの指令に基づき、４色カラーの印刷処理を施すこととなる。そして、印刷処理に伴って、感光体１０と中間転写ベルト５１との接触部位で発生する熱により、感光体１０の周面の温度が徐々に上昇することとなる。
温度センサ９（９Ｙ、９Ｍ、９Ｃ、９Ｋ）は、印刷処理に伴い温度が上昇する感光体１０（１０Ｙ、１０Ｍ、１０Ｃ、１０Ｋ）の周面の温度を順次検出すると共に、当該検出結果を制御部１００に出力する。
なお、このとき、冷却ファン７は、図３（ａ）に示すように、中間転写ベルト５１の一方の面５１ａに沿って冷却風を供給している。
【００３０】
検出結果を入力された制御部１００は、当該検出結果のうち一つでも所定の閾値（例えば、トナーの劣化等が懸念される約５０℃）を越えたか否かを判断する（ステップＳ１）。
制御部１００は、当該閾値を越えていない場合は、印刷処理を続行させて、温度センサ９からの出力される検出結果を順次観察する。一方、温度センサ９のうち一つでも閾値を越えた場合は、温度上昇に伴う画像形成の不具合を防止するため、印刷部５に印刷処理中止信号を出力して、強制的に印刷処理を中止させる（ステップＳ２）。なお、このとき、制御部１００は、操作部６の表示部に「調整中」等の表示をさせ、ユーザーに注意を喚起させるのが好ましい。
【００３１】
制御部１００は、印刷処理を中止させた後、移動ユニット８を駆動させ、接触位置から離間位置へ移動させる（ステップＳ３）。
移動ユニット８が離間位置に位置することにより、図３（ｂ）に示すように、一端に配置された感光体１０Ｋ以外の感光体１０と、中間転写ベルト５１とが離間することとなる。
【００３２】
このとき、冷却ファン７によって中間転写ベルト５１の一方の面５１ａに沿って供給される冷却風は、離間した感光体１０と中間転写ベルト５１との間に形成される空間に風路を形成することとなり、感光体１０Ｙ、感光体１０Ｍ、感光体１０Ｃ、感光体１０Ｋ及び中間転写ベルト５１を直接冷却する。さらに、感光体１０の周囲に配置される現像装置１３等の機器類も合わせて冷却する。
【００３３】
制御部１００は、上記状態を所定時間（例えば、数十秒〜数分程度）維持させ、冷却ファン７による冷却を施す（ステップＳ４）。なお、このとき、制御部１００は、冷却ファン７の回転数を上昇させて、冷却効率を高める制御を行うことが好ましい。
【００３４】
冷却に要する所定時間が経過した後、制御部１００は、離間位置にある移動ユニット８を接触位置に移動させる（ステップＳ５）。
そして、制御部１００は、移動ユニット８が接触位置に移動した後、印刷処理再開信号を印刷部５に出力し、４色カラーの印刷処理が可能な状態とさせて、印刷処理を再開することとなる（ステップＳ６）。
【００３５】
したがって、上述の本実施形態によれば、トナー像が転写される中間転写ベルト５１と、中間転写ベルト５１の一方の面５１ａに沿って並列に４つ配置される感光体１０とを備える複写機１であって、一方の面５１ａに沿って冷却風を供給する冷却ファン７と、感光体１０のそれぞれと中間転写ベルト５１とを接触させる接触位置と、上記接触した感光体１０のうちの少なくとも一部と中間転写ベルト５１とを離間させる離間位置との間を移動自在な移動ユニット８とを有するという構成を採用することによって、移動ユニット８が離間位置にあるときに、離間した感光体１０と中間転写ベルト５１との間に形成される空間に冷却風の風路が形成される。すなわち、冷却風が直接、感光体１０と中間転写ベルト５１との両者に供給され、該両者を効率良く冷却することが可能となる。
したがって、本実施形態では、感光体１０と中間転写ベルト５１との接触部位で発生する熱を効率良く冷却できる複写機１を提供することができる効果がある。
【００３６】
また、本実施形態においては、移動ユニット８は、上記離間位置にあるとき、上記並列の一端に配置された感光体１０Ｋ以外の感光体１０（感光体１０Ｙ、感光体１０Ｍ、及び感光体１０Ｃ）と中間転写ベルト５１とを離間させ、冷却ファン７は、上記並列の他端側から上記一端側に向けて冷却風を供給するという構成を採用することによって、他端側から一端側に向けた一方向からの冷却風の供給で、並列された全ての感光体１０を冷却することが可能となる。このことから、所望の冷却効率を得つつ冷却ファン７の設置台数を抑えることができ、装置の省スペース化を図ることができる。
【００３７】
また、本実施形態においては、感光体１０の温度を検出する温度センサ９と、温度センサ９の検出結果に基づいて移動ユニット８の駆動を制御する制御部１００とを有するという構成を採用することによって、感光体１０の温度に応じて移動ユニット８を駆動させることが可能となるため、温度が上昇することによる画像形成の不具合を防止させる冷却が可能となる。
【００３８】
また、本実施形態においては、温度センサ９は、感光体１０のそれぞれの温度を検出し、制御部１００は、上記検出結果のうち一つでも所定の閾値を越えた場合に、移動ユニット８を上記離間位置に移動させるという構成を採用することによって、より確実に、温度が上昇することによる画像形成の不具合を未然に防止する冷却が可能となる。
【００３９】
以上、図面を参照しながら本発明の好適な実施形態について説明したが、本発明は上記実施形態に限定されるものではない。上述した実施形態において示した各構成部材の諸形状や組み合わせ等は一例であって、本発明の主旨から逸脱しない範囲において設計要求等に基づき種々変更可能である。
【００４０】
例えば、本発明においては、図５の別実施形態のフローチャート示すように、制御部（第２制御装置）１００は、トナー像を印刷用紙に印字した印字枚数を検出するカウンタ（印字枚数検出装置）の検出結果に基づいて移動ユニット８の駆動を制御する（ステップＳ７）という構成を採用しても良い。
このような構成を採用することによって、別実施形態では、印字枚数に応じて移動ユニット８を駆動させることが可能となるため、該印字枚数により感光体１０と中間転写ベルト５１との接触部位の温度上昇値を推定あるいは算出することで、温度が上昇することによる画像形成の不具合を未然に防止する冷却が可能となる。
また、本発明では、制御部１００は、上記温度センサ９の温度検出結果及びカウンタの印字枚数検出結果の両者に基づいて、移動ユニット８を駆動させる構成であっても良い。
【００４１】
また、本発明においては、制御部１００は、移動ユニット８の移動に連動して、冷却ファン７の駆動を制御するという構成を採用することによって、例えば、移動ユニット８が接触位置にあるときに、冷却ファン７の駆動を停止させることにより省電力化等を図ることが可能となる。
【図面の簡単な説明】
【００４２】
【図１】本発明の実施の形態における複写機の機能構成を示すブロック図である。
【図２】本発明の実施の形態における複写機の概略構成を示す正面図である。
【図３】本発明の実施の形態における冷却ファン及び移動ユニットが設けられる部位の要部拡大図である。
【図４】本発明の実施の形態における複写機の冷却の動作を説明するフローチャートである。
【図５】本発明の別実施形態における複写機の冷却の動作を説明するフローチャートである。
【符号の説明】
【００４３】
１…複写機（画像形成装置）、５１…中間転写ベルト（転写ベルト）、１０…感光体（像担持体）、７…冷却ファン（冷却装置）、８…移動ユニット（移動装置）、９…温度センサ（温度検出装置）、１００…制御部（制御装置，第２制御装置）
【図１】
2009294576.tif 000003
【図２】
2009294576.tif 000004
【図３】
2009294576.tif 000005
【図４】
2009294576.tif 000006
【図５】
2009294576.tif 000007